(57)【要約】【課題】訪問者が誰であるかをドアホン端末装置の近くまで移動することなく判断することができるドアホン端末装置を提供すること。【解決手段】複数の点灯色を有する呼び出しランプ１２１と、訪問者の人物認証情報を受信する人物認証情報受信部１０１と、呼び出しランプ１２１の点灯色および人物を対応させて予め登録するメモリ１０５と、受信した人物認証情報に基づいて、訪問者を特定し、メモリ１０５に登録された複数の点灯色から特定された人物に対応する点灯色を選択する制御部１４１と、この制御部１４１によって選択された点灯色で、呼び出しランプ１２１を点灯させる呼び出しランプ制御部１２３とを備える。【選択図】　図１
2004072448.tif 000002
【特許請求の範囲】
【請求項１】
複数の点灯色を有する呼び出しランプと、
訪問者の人物認証情報を受信する人物認証情報受信手段と、
前記呼び出しランプの点灯色および人物を対応させて予め登録する登録手段と、
前記人物認証情報受信手段によって受信した人物認証情報に基づいて、前記訪問者を特定し、前記特定された訪問者に対応する点灯色を前記登録手段に登録された前記複数の点灯色から選択する選択手段と、
前記選択手段によって選択された点灯色で、前記呼び出しランプを点灯させる呼び出しランプ制御手段とを備えたことを特徴とするドアホン端末装置。
【請求項２】
呼び出しランプと、
訪問者の人物認証情報を受信する人物認証情報受信手段と、
前記呼び出しランプの点滅方法および人物を対応させて予め登録する登録手段と、
前記人物認証情報受信手段によって受信した人物認証情報に基づいて、前記訪問者を特定し、前記特定された訪問者に対応する点滅方法を前記登録手段に登録された前記複数の点滅方法から選択する選択手段と、
前記選択手段によって選択された点滅方法で、前記呼び出しランプを点滅させる呼び出しランプ制御手段とを備えたことを特徴とするドアホン端末装置。
【請求項３】
画像を画面に表示する表示手段と、
訪問者の人物認証情報を受信する人物認証情報受信手段と、
前記表示手段の画面に表示する複数の表示画像および人物を対応させて予め登録する登録手段と、
前記人物認証情報受信手段によって受信した人物認証情報に基づいて、前記訪問者を特定し、前記特定された訪問者に対応する表示画像を前記登録手段に登録された前記複数の表示画像から選択する選択手段と、
この選択手段によって選択された表示画像を前記表示手段の画面に表示させる表示制御手段とを備えたことを特徴とするドアホン端末装置。
【請求項４】
前記人物認証情報受信手段は、無線通信により前記人物認証情報を受信することを特徴とする請求項１乃至請求項３の何れかに記載のドアホン端末装置。
【請求項５】
振動器と、
前記振動器をオンオフ制御して複数の振動パターンで振動させる振動器制御手段とをさらに備えるとともに、
前記登録手段は、前記振動器の複数の振動パターンおよび前記人物を対応させて予め登録し、
前記選択手段は、前記特定された訪問者に対応する振動パターンを前記登録手段に登録された複数の振動パターンから選択し、
前記振動器制御手段は、前記振動器をオンオフ制御して前記選択手段によって選択された振動パターンで振動させることを特徴とする請求項４に記載のドアホン端末装置。
【請求項６】
前記選択手段で特定された訪問者の情報含む呼び出し通知信号を送信する送信手段と、
前記送信手段から送信された呼び出し通知信号を受信する受信手段およびこの受信手段により前記呼び出し通知信号が受信された時、呼び出しを報知する報知手段を有するドアホン端末とを備えたことを特徴とする請求項１乃至請求項３の何れかに記載のドアホン端末装置。
【請求項７】
前記送信手段および受信手段は、無線通信により前記呼び出し通知信号を送受信することを特徴とする請求項６に記載のドアホン端末装置。
【請求項８】
前記報知手段は、振動器と、前記振動器をオンオフ制御して複数の振動パターンで振動させる振動器制御部とを含むことを特徴とする請求項６または請求項７に記載のドアホン端末装置。
【発明の詳細な説明】
【０００１】
【発明の属する技術分野】
本発明は、人物認証機能を有したドアホンシステムにおいて、訪問者により呼び出し方法を変更することが可能なドアホン端末装置に関するものである。
【０００２】
【従来の技術】
図５に示すように、従来、この種の人物認証ドアホンシステム１は、呼び出しスイッチ１３を有する屋外のドアホン端末１０、および訪問者によって呼び出しスイッチ１３が押下されたときに呼び出し音を発生する屋内の応答端末３０を含み、この応答端末３０が、呼び出しスイッチ１３を操作する可能性のある人物に関する画像データを蓄積した人物データベース３１と、呼び出しスイッチ１３を操作した人物の画像データを取り込み、該画像データと人物データベース３１に蓄積された画像データとを照合する画像認識部２３と、複数の異なる呼び出し音を呼び出し音データとして蓄積するとともに、画像認識部２３による前記照合の結果に応じた呼び出し音データを出力する呼び出し音データベース３３と、呼び出し音データを呼び出し音データベース３３から受け取って、呼び出し音を発生する呼び出し音信号発生部２７と、画像認識部２３による前記照合の結果に応じて、前記呼び出しスイッチ１３を操作した人物に対応した呼び出し音と一般の呼び出し音の何れを出力させるかを判定し、該判定の結果に応じた呼び出し音データを呼び出し音データベース３３から読み出させる制御部２５とを備え、前記照合の結果に応じて、呼び出しスイッチ１３を操作した人物に対応した呼び出し音を出力することを特徴としているシステムであった（特許第３２５０７９７号公報）。
【０００３】
【発明が解決しようとする課題】
しかし、このような従来の人物認証ドアホンシステムでは、呼び出し音を変えることで呼び出しスイッチを操作した人物を判別するために、耳の不自由な人は応答端末の近くまで移動し、モニタに映し出された映像にて確認するまで呼び出しスイッチを操作した人物を判別できないという問題点があった。
【０００４】
本発明はこのような問題を解決するためになされたもので、呼び出し音の音量に関わらず、訪問者が誰であるかをドアホン端末装置の近くまで移動することなく判断することができるドアホン端末装置を提供するものである。
【０００５】
【課題を解決するための手段】
本発明のドアホン端末装置は、複数の点灯色を有する呼び出しランプと、訪問者の人物認証情報を受信する人物認証情報受信手段と、前記呼び出しランプの点灯色および人物を対応させて予め登録する登録手段と、前記人物認証情報受信手段によって受信した人物認証情報に基づいて、前記訪問者を特定し、前記特定された訪問者に対応する点灯色を前記登録手段に登録された前記複数の点灯色から選択する選択手段と、前記選択手段によって選択された点灯色で、前記呼び出しランプを点灯させる呼び出しランプ制御手段とを備えたことを特徴とした構成を有している。
【０００６】
この構成により、訪問者に対応させて、呼び出しランプの点灯色を変えることができ、呼び出し音の音量に関わらず、例えば、耳の不自由な人などでも訪問者が誰であるかをドアホン端末装置の近くまで移動することなく目視のみで判断することができることとなる。
【０００７】
また、本発明のドアホン端末装置は、呼び出しランプと、訪問者の人物認証情報を受信する人物認証情報受信手段と、前記呼び出しランプの点滅方法および人物を対応させて予め登録する登録手段と、前記人物認証情報受信手段によって受信した人物認証情報に基づいて、前記訪問者を特定し、前記特定された訪問者に対応する点滅方法を前記登録手段に登録された前記複数の点滅方法から選択する選択手段と、前記選択手段によって選択された点滅方法で、前記呼び出しランプを点滅させる呼び出しランプ制御手段とを備えたことを特徴とした構成を有している。
【０００８】
この構成により、訪問者に対応させて、呼び出しランプの点滅方法を変えることができ、呼び出し音の音量に関わらず、例えば、耳の不自由な人などでも訪問者が誰であるかをドアホン端末装置の近くまで移動することなく目視のみで判断することができることとなる。
【０００９】
また、本発明のドアホン端末装置は、画像を画面に表示する表示手段と、訪問者の人物認証情報を受信する人物認証情報受信手段と、前記表示手段の画面に表示する複数の表示画像および人物を対応させて予め登録する登録手段と、前記人物認証情報受信手段によって受信した人物認証情報に基づいて、前記訪問者を特定し、前記特定された訪問者に対応する表示画像を前記登録手段に登録された前記複数の表示画像から選択する選択手段と、この選択手段によって選択された表示画像を前記表示手段の画面に表示させる表示制御手段とを備えたことを特徴とした構成を有している。
【００１０】
この構成により、訪問者に対応させて、表示手段の画面に表示する画像を変えることができ、呼び出し音の音量に関わらず、例えば、耳の不自由な人などでも訪問者が誰であるかをドアホン端末装置の近くまで移動することなく目視のみで判断することができることとなる。
【００１１】
さらに、上記本発明のドアホン端末装置において、前記人物認証情報受信手段は、無線通信により前記人物認証情報を受信しても良い。これにより、ドアホン端末装置を使用者の側に移動させて配置したり、使用者が携帯したりすることができ、呼び出し音の音量にかかわらず、例えば、耳の不自由な人などでも訪問者が誰であるかを判断することができる。
【００１２】
また、上記本発明のドアホン端末装置は、振動器と、前記振動器をオンオフ制御して複数の振動パターンで振動させる振動器制御手段とをさらに備えるとともに、前記登録手段は、前記振動器の複数の振動パターンおよび前記人物を対応させて予め登録し、前記選択手段は、前記特定された訪問者に対応する振動パターンを前記登録手段に登録された複数の振動パターンから選択し、前記振動器制御手段は、前記振動器をオンオフ制御して前記選択手段によって選択された振動パターンで振動させても良い。これにより、ドアホン端末装置を使用者の側に移動させて配置したり、使用者が携帯したりすることができ、呼び出し音の音量にかかわらず、バイブレータの振動によって、例えば、耳の不自由な人などでも訪問者が誰であるかを判断することができる。
【００１３】
さらに、上記本発明のドアホン端末装置は、前記選択手段で特定された訪問者の情報含む呼び出し通知信号を送信する送信手段と、前記送信手段から送信された呼び出し通知信号を受信する受信手段およびこの受信手段により前記呼び出し通知信号が受信された時、呼び出しを報知する報知手段を有するドアホン端末とを備えても良い。これにより、ドアホン端末を使用者の側に移動させて配置したり、使用者が携帯したりすることができ、呼び出し音の音量にかかわらず、例えば、耳の不自由な人などでも訪問者が誰であるかを判断することができる。
【００１４】
また、上記本発明のドアホン端末装置において、前記送信手段および受信手段は、無線通信により前記呼び出し通知信号を送受信しても良い。これにより、ドアホン端末を使用者の側に移動させて配置したり、使用者が携帯したりすることができ、呼び出し音の音量にかかわらず、例えば、耳の不自由な人などでも訪問者が誰であるかを判断することができる。
【００１５】
さらに、上記本発明のドアホン端末装置において、前記報知手段は、振動器と、前記振動器をオンオフ制御して複数の振動パターンで振動させる振動器制御部とを含んでも良い。これにより、ドアホン端末装置を使用者の側に移動させて配置したり、使用者が携帯したりすることができ、呼び出し音の音量にかかわらず、バイブレータの振動によって、例えば、耳の不自由な人などでも訪問者が誰であるかを判断することができる。
【００１６】
【発明の実施の形態】
（第１の実施の形態）
以下、本発明の実施の形態について、図面を用いて説明する。
【００１７】
図１に示すように、本発明の第１の実施の形態のドアホン端末装置１００は、図示されない屋外ドアホン端末の呼び出しスイッチを押下した訪問者の人物認証を行う人物認証装置（図示無し）から人物認証情報を受信する人物認証情報受信部１０１と、屋外ドアホン端末とデータおよび制御信号をやり取りする送受信部１０３と、各種設定を記憶するメモリ１０５と、ドアホン端末装置１００を使用者に操作させる操作部１０７と、呼び出し音や通話などの音声データを処理する音声処理部１１１と、呼び出し音や会話音声を出力するスピーカ１１３と、会話音声などを集音するマイク１１５と、複数の点灯色を有する呼び出しランプ１２１と、呼び出しランプ１２１の点灯および／または点滅を制御する呼び出しランプ制御部１２３と、画像を表示する表示パネル１３１と、表示パネル１３１に表示する画像データを処理する画像処理部１３３と、表示パネル１３１に画像を表示させる制御を行う表示制御部１３５と、これらのブロックを制御する制御部１４１とを備えている。
【００１８】
人物認証情報受信部１０１は、制御部１４１に電気的に接続され、人物認証装置から人物認証情報を受信し、制御部１４１に通知するものである。ここで、人物認証情報は、人物認証装置が屋外ドアホン端末の呼び出しスイッチを押下した訪問者の人物認証を行った結果を示す情報である。例えば、人物認証装置には、訪問が予想される複数の人物が登録されており、訪問者が登録されている何れの人物に該当するか、あるいは登録されていない一般の人物であるかを示す情報が人物認証情報に含まれる。
【００１９】
送受信部１０３は、制御部１４１に電気的に接続され、ドアホン端末装置１００と屋外ドアホン端末との間のデータおよび制御信号のやり取りをするものである。屋外ドアホン端末とやり取りされるデータは、屋外ドアホン端末の監視カメラ（図示無し）からの映像データ、マイク（図示無し）からの音声データ、およびスピーカ（図示無し）への音声データを含む。また、屋外ドアホン端末の呼び出しスイッチが押下された時、送受信部１０３を介して呼び出しを通知する呼び出し通知信号が入力され、制御部１４１に渡される。
【００２０】
メモリ１０５は、制御部１４１に電気的に接続され、各種設定を記憶するものである。メモリ１０５は、読取り書込み可能な不揮発性記憶装置である。本実施の形態において、呼び出しランプ１２１の複数の点灯色が、訪問が予想される複数の人物に対応させて予め登録される。他の実施の形態において、呼び出しランプ１２１の複数の点滅方法が、訪問が予想される複数の人物に対応させて予め登録されても良い。あるいは、他の実施の形態において、呼び出しランプ１２１の複数の点灯色および点滅方法の組み合わせが、訪問が予想される複数の人物に対応させて予め登録されても良い。
【００２１】
操作部１０７は、制御部１４１に電気的に接続され、図示されない操作スイッチ、操作ボタンを含む。この操作部１０７により使用者はドアホン端末装置１００を操作する。
【００２２】
音声処理部１１１は、スピーカ１１３、マイク１１５および制御部１４１に電気的に接続され、制御部１４１の指示に従って、スピーカ１１３に出力する呼び出し音や通話などの音声データを処理するとともに、マイク１１５から集音された会話音声などの音声データを処理するものである。
【００２３】
呼び出しランプ１２１は、呼び出しランプ制御部１２３に電気的に接続され、呼び出しランプ制御部１２３によって、点灯および／または点滅が制御される。本実施の形態において、呼び出しランプ１２１は、複数の点灯色を有する少なくとも一つのランプを含み、呼び出しランプ制御部１２３によって、点灯色が制御される。また、他の実施の形態において、呼び出しランプ１２１は、少なくとも一つのランプを有し、呼び出しランプ制御部１２３によって、複数の異なる点滅方法で点灯および点滅が制御される。あるいは、他の実施の形態において、呼び出しランプ１２１は、複数の点灯色を有する少なくとも一つのランプを含み、呼び出しランプ制御部１２３によって、点灯色および複数の異なる点滅方法の組み合わせで点灯および点滅が制御される。
【００２４】
呼び出しランプ制御部１２３は、呼び出しランプ１２１および制御部１４１に電気的に接続され、制御部１４１に指示に従って、呼び出しランプ１２１の点灯および点滅を制御するものである。
【００２５】
表示パネル１３１は、表示制御部１３５に電気的に接続され、少なくとも一つの表示画面を有し、表示制御部１３５によって制御されて、画像が表示画面に表示される。表示パネル１３１は、例えば、液晶表示パネル、プラズマ表示パネルなどである。表示パネル１３１は、一般的なドアホン端末装置に設けられた表示パネル１３１であり、例えば、屋外に設けられた監視カメラで撮影された映像などを表示するものである。
【００２６】
画像処理部１３３は、制御部１４１に電気的に接続され、制御部１４１の指示に従って、表示パネル１３１に表示する画像データを処理するものである。
【００２７】
表示制御部１３５は、制御部１４１および画像処理部１３３に電気的に接続され、制御部１４１の指示に従って、表示パネル１３１に表示する画像データを画像処理部１３３から受け取り、表示パネル１３１に表示させるものである。
【００２８】
制御部１４１は、例えば、ＣＰＵ（Ｃｅｎｔｒａｌ　Ｐｒｏｃｅｓｓｉｎｇ　Ｕｎｉｔ）およびＭＰＵ（Ｍｉｃｒｏｐｒｏｃｅｓｓｉｎｇ　Ｕｎｉｔ）などからなり、予めプログラムされた処理手順で動作し、上述したように、各ブロックを制御するものである。
【００２９】
図２は、本発明の第１の実施の形態のドアホン端末装置１００の呼び出し通知処理手順の一例を示すフローチャートである。
【００３０】
図２に示すように、本発明の第１の実施の形態のドアホン端末装置１００では、はじめに訪問が予想される複数の人物と、呼び出しランプ１２１の複数の点灯色とをそれぞれ対応させてメモリ１０５に登録する（ステップＳ１０１）。また、他の実施の形態において、呼び出しランプ１２１の複数の点滅方法が、訪問が予想される複数の人物に対応させて予め登録されても良い。あるいは、他の実施の形態において、呼び出しランプ１２１の複数の点灯色および点滅方法の組み合わせが、訪問が予想される複数の人物に対応させて予め登録されても良い。尚、この登録処理は、次に登録内容の変更が必要となるまでは、バイパスされる。その後、屋外ドアホン端末の呼び出しスイッチの押下待ち状態に入り（ステップＳ１０２）、呼び出しスイッチが押下されたことを示す呼び出し通知信号が送受信部１０３を介して受信された時、人物認証情報受信部１０１を介して、人物認証情報を受信する（ステップＳ１０３）。
【００３１】
次いで、制御部１４１が、受信した人物認証情報に基づいて、訪問者を特定し、メモリ１０５に登録された呼び出しランプ１２１の複数の点灯色から、特定された人物に対応する点灯色を選択する（ステップＳ１０４）。尚、受信した人物認証情報が予め登録されていない人物を示している場合も、その一般の人物に対応する点灯色を予め登録しておき、該当する点灯色を選択する。次いで、呼び出しランプ制御部１２３が、選択された点灯色の呼び出しランプ１２１を点灯させる（ステップＳ１０５）。
【００３２】
また、他の実施の形態において、制御部１４１が、受信した人物認証情報に基づいて、訪問者を特定し、メモリ１０５に登録された呼び出しランプ１２１の複数の点滅方法から、特定された人物に対応する点滅方法を選択し（ステップＳ１０４）、呼び出しランプ制御部１２３が、選択された点滅方法で呼び出しランプ１２１を点滅させても良い（ステップＳ１０５）。あるいは、他の実施の形態において、制御部１４１が、受信した人物認証情報に基づいて、訪問者を特定し、メモリ１０５に登録された呼び出しランプ１２１の複数の点灯色および点滅方法の組み合わせから、特定された人物に対応する点灯色および点滅方法を選択し（ステップＳ１０４）、呼び出しランプ制御部１２３が、選択された点灯色および点滅方法で呼び出しランプ１２１を点灯または点滅させても良い（ステップＳ１０５）。
【００３３】
以上のように構成された本発明の第１の実施の形態のドアホン端末装置１００の動作について、以下に図２を用いて説明する。
【００３４】
はじめに、本発明の第１の実施の形態のドアホン端末装置１００を起動させて、訪問が予想される複数の人物と、呼び出しランプ１２１の複数の点灯色とをそれぞれ対応させてメモリ１０５に登録させる（ステップＳ１０１）。その後、屋外ドアホン端末の呼び出しスイッチの押下待ち状態に入る（ステップＳ１０２）。
【００３５】
訪問者が訪れて、屋外ドアホン端末の呼び出しスイッチを押下すると、屋外ドアホン端末から呼び出し通知信号が送受信部１０３を介して受信され、これに呼応して、人物認証情報が、人物認証情報受信部１０１を介して受信される（ステップＳ１０３）。
【００３６】
制御部１４１によって、受信した人物認証情報に基づいて、訪問者が特定され、メモリ１０５に登録された呼び出しランプ１２１の複数の点灯色から、特定された人物に対応する点灯色が選択される（ステップＳ１０４）。あるいは、人物認証情報が、予め登録されていない人物であること示している場合は、一般の人物に対応する点灯色が選択される。このようにして選択された点灯色の呼び出しランプ１２１が、呼び出しランプ制御部１２３によって点灯され（ステップＳ１０５）、使用者に訪問者が誰であるかが通知され、使用者は、ドアホン端末装置１００の呼び出しランプ１２１の点灯色を目視するだけで、誰が訪問したか、あるいは一般の人物の訪問であるかを判断することができる。
【００３７】
呼び出しに応答する場合は、操作部１０７にて操作を行い、スピーカ１１３およびマイク１１５を使用して通話を行い対応する。
【００３８】
このように本発明の第１の実施の形態のドアホン端末装置１００は、複数の点灯色を有する呼び出しランプ１２１と、訪問者の人物認証情報を受信する人物認証情報受信部１０１と、呼び出しランプ１２１の点灯色および人物を対応させて予め登録するメモリ１０５と、人物認証情報受信部１０１によって受信した人物認証情報に基づいて、訪問者を特定し、特定された人物に対応する点灯色をメモリ１０５に登録された複数の点灯色から選択する制御部１４１と、この制御部１４１によって選択された点灯色で、呼び出しランプ１２１を点灯させる呼び出しランプ制御部１２３とを備えているので、訪問者に対応させて、呼び出しランプ１２１の点灯色を変えることができ、呼び出し音の音量に関わらず、例えば、耳の不自由な人などでも訪問者が誰であるかをドアホン端末装置１００の近くまで移動することなく目視のみで判断することができる。
【００３９】
（第２の実施の形態）
本発明の第２の実施の形態のドアホン端末装置は、図１に示した本発明の第１の実施の形態のドアホン端末装置１００とは、メモリ１０５に、表示パネル１３１に表示する複数の表示画像が、訪問が予想される複数の人物に対応させて予め登録され、人物認証情報に基づいて、複数の表示画像から訪問者に対応した表示画像が選択されて表示パネル１３１に表示される点が相違している。
【００４０】
図３は、本発明の第２の実施の形態のドアホン端末装置の呼び出し通知処理手順の一例を示すフローチャートである。
【００４１】
図３に示すように、本発明の第２の実施の形態のドアホン端末装置では、はじめに訪問が予想される複数の人物と、複数の表示画像とをそれぞれ対応させてメモリ１０５に登録する（ステップＳ２０１）。尚、この登録処理は、次に登録内容の変更が必要となるまでは、バイパスされる。その後、屋外ドアホン端末の呼び出しスイッチの押下待ち状態に入り（ステップＳ２０２）、呼び出しスイッチが押下されたことを示す呼び出し通知信号が送受信部を介して受信された時、人物認証情報受信部１０１を介して、人物認証情報を受信する（ステップＳ２０３）。
【００４２】
次いで、制御部１４１が、受信した人物認証情報に基づいて、訪問者を特定し、メモリ１０５に登録された複数の表示画像から、特定された人物に対応する表示画像を選択する（ステップＳ２０４）。尚、受信した人物認証情報が予め登録されていない人物を示している場合も、その一般の人物に対応する表示画像を予め登録しておき、該当する表示画面を選択する。次いで、画像処理部１３３が、選択された表示画像の画像データを処理し、表示制御部１３５が、表示パネル１３１に処理された表示画像を表示する（ステップＳ２０５）。
【００４３】
以上のように構成された本発明の第２の実施の形態のドアホン端末装置の動作について、以下に図３を用いて説明する。
【００４４】
はじめに、本発明の第２の実施の形態のドアホン端末装置を起動させて、訪問が予想される複数の人物と、複数の表示画像とをそれぞれ対応させてメモリ１０５に登録させる（ステップＳ２０１）。その後、屋外ドアホン端末の呼び出しスイッチの押下待ち状態に入る（ステップＳ２０２）。
【００４５】
訪問者が訪れて、屋外ドアホン端末の呼び出しスイッチを押下すると、屋外ドアホン端末から呼び出し通知信号が送受信部１０３を介して受信され、これに呼応して、人物認証情報が、人物認証情報受信部１０１を介して受信される（ステップＳ２０３）。
【００４６】
制御部１４１によって、受信した人物認証情報に基づいて、訪問者が特定され、メモリ１０５に登録された複数の表示画像から、特定された人物に対応する表示画像が選択される（ステップＳ２０４）。あるいは、人物認証情報が、予め登録されていない人物であること示している場合は、一般の人物に対応する表示画像が選択される。このようにして選択された表示画像の画像データが画像処理部１３３によって処理され、表示制御部１３５によって、表示パネル１３１に処理された表示画像が表示され（ステップＳ２０５）、使用者に訪問者が誰であるかが通知され、使用者は、ドアホン端末装置の表示パネル１３１の表示画像を目視するだけで、誰が訪問したか、あるいは未登録の人物の訪問であるかを判断することができる。
【００４７】
呼び出しに応答する場合は、操作部１０７にて操作を行い、スピーカ１１３およびマイク１１５を使用して通話を行い対応する。
【００４８】
以上のように、本発明の第２の実施の形態のドアホン端末装置は、画像を画面に表示する表示パネル１３１と、訪問者の人物認証情報を受信する人物認証情報受信部１０１と、表示手段の画面に表示する複数の表示画像および人物を対応させて予め登録するメモリ１０５と、人物認証情報受信部１０１によって受信した人物認証情報に基づいて、訪問者を特定し、メモリ１０５に登録された複数の画像から特定された人物に対応する表示画像を選択する制御部１４１と、この制御部１４１によって選択された表示画像を表示パネル１３１の画面に表示させる表示制御部１３５とを備えているので、訪問者に対応させて、表示手段の画面に表示する画像を変えることができ、呼び出し音の音量に関わらず、例えば、耳の不自由な人などでも訪問者が誰であるかをドアホン端末装置の近くまで移動することなく目視のみで判断することができる。
【００４９】
尚、上記実施の形態では、屋外のドアホン端末の呼び出しスイッチが押下されたことを報知する手段として呼び出しランプ１２１の点灯色や点滅方法または表示パネル１３１に表示する画像を人物に対応させる場合について説明したが、本発明は、呼び出しランプ１２１の点灯色や点滅方法、表示パネル１３１の表示画像およびスピーカ１１３から出力される呼び出し音などを組み合わせても同様の効果が得られるものである。
【００５０】
（第３の実施の形態）
本発明の第３の実施の形態のドアホン端末装置は、上記実施の形態のドアホン端末装置１００とは、人物認証情報受信部１０１は、赤外線などによる無線通信により人物認証情報を受信し、送受信部１０３は、赤外線などによる無線通信により屋外ドアホン端末とデータおよび制御信号をやり取りする点が相違している。この構成によれば、ドアホン端末装置を使用者の側に移動させて配置したり、使用者が携帯したりすることができ、呼び出し音の音量にかかわらず、例えば、耳の不自由な人などでも訪問者が誰であるかを判断することができるという効果が得られる。
【００５１】
尚、上記実施の形態では、呼び出しを報知する報知手段として呼び出しランプ１２１、表示パネル１３１およびスピーカ１１３を用いた場合について説明したが、本発明はこれらのほかに、バイブレータ（図示無し）と、バイブレータをオンオフ制御して複数の振動パターンで振動させるバイブレータ制御部（図示無し）とをさらに用いても良い。この場合は、メモリ１０５に、バイブレータの複数の振動パターンおよび人物を対応させて予め登録し、次いで、制御部１４１が、無線通信にて受信した人物認証情報に基づいて、訪問者を特定し、メモリ１０５に登録されたバイブレータの複数の振動パターンから、特定された人物に対応する振動パターンを選択し、バイブレータ制御部が、バイブレータをオンオフ制御して選択された振動パターンで振動させる。これにより、ドアホン端末装置を使用者の側に移動させて配置したり、使用者が携帯したりすることができ、呼び出し音の音量にかかわらず、バイブレータの振動によって、例えば、耳の不自由な人などでも訪問者が誰であるかを判断することができる。
【００５２】
（第４の実施の形態）
本発明の第４の実施の形態のドアホン端末装置２００は、図４に示すように、図１に示した本発明の第１の実施の形態のドアホン端末装置１００とは、使用者が携帯し、呼び出し通知信号を受信可能な携帯無線ドアホン端末２１０と無線通信可能な無線部２０１を設けた点が相違している。
【００５３】
ドアホン端末装置２００の無線部２０１は、制御部１４１に電気的に接続され、制御部１４１に指示に従って、携帯無線ドアホン端末２１０と赤外線などによる無線通信を行うものである。携帯無線ドアホン端末２１０に送信される呼び出し通知信号には、ドアホン端末装置２００の制御部１４１が、呼び出しランプの複数の点灯色から特定した人物に対応する呼び出しランプの点灯色を選択した結果が含まれる。あるいは、他の実施の形態において、呼び出しランプの複数の点滅方法から特定した人物に対応する呼び出しランプの点滅方法を選択した結果が含まれる。さらに、他の実施の形態において、呼び出しランプの複数の点灯色および点滅方法の組み合わせから、特定した人物に対応する呼び出しランプの点灯色および点滅方法を選択した結果が含まれる。
【００５４】
また、他の実施の形態において、ドアホン端末装置２００の無線部２０１から送信される呼び出し通知信号は、ドアホン端末装置２００の人物認証情報受信部１０１を介して受信された人物認証情報に基づいて、特定された訪問者の情報を含んでも良い。
【００５５】
図４に示すように、本発明の第４の実施の形態の携帯無線ドアホン端末２１０は、ドアホン端末装置２００から送信された呼び出しランプの点灯色などの情報を含む情報を無線通信により受信する無線部２１１と、携帯無線ドアホン端末２１０を使用者に操作させる操作部２１３と、複数の点灯色を有する呼び出しランプ２２１と、呼び出しランプ２２１の点灯および／または点滅を制御する呼び出しランプ制御部２２３と、複数の振動パターンを有するバイブレータ２２５と、バイブレータ２２５の振動パターンを制御するバイブレータ制御部２２７と、これらのブロックを制御する制御部２３１とを備えている。
【００５６】
無線部２１１は、制御部２３１に電気的に接続され、ドアホン端末装置２００と携帯無線ドアホン端末２１０との間のデータおよび制御信号のやり取りを赤外線などによる無線通信により行うものである。具体的には、無線部２１１は、ドアホン端末装置２００の無線部２０１から人物認証情報に基づいて特定された訪問者の情報を含む呼び出し通知信号を受信するものである。
【００５７】
呼び出しランプ２２１は、呼び出しランプ制御部２２３に電気的に接続され、呼び出しランプ制御部２２３によって、点灯および／または点滅が制御される。本実施の形態において、呼び出しランプ２２１は、複数の点灯色を有する少なくとも一つのランプを含み、呼び出しランプ制御部２２３によって、点灯色が制御される。また、他の実施の形態において、呼び出しランプ２２１は、少なくとも一つのランプを有し、呼び出しランプ制御部２２３によって、複数の異なる点滅方法で点灯および点滅が制御される。あるいは、他の実施の形態において、呼び出しランプ２２１は、複数の点灯色を有する少なくとも一つのランプを含み、呼び出しランプ制御部２２３によって、点灯色および複数の異なる点滅方法の組み合わせで点灯および点滅が制御される。
【００５８】
呼び出しランプ制御部２２３は、呼び出しランプ２２１および制御部２３１に電気的に接続され、制御部２３１に指示に従って、呼び出しランプ２２１の点灯および点滅を制御するものである。
【００５９】
バイブレータ２２５は、バイブレータ制御部２２７に電気的に接続され、バイブレータ制御部２２７によりオンオフ制御され、複数の振動パターンで振動するものある。バイブレータ制御部２２７は、バイブレータ２２５および制御部２３１に電気的に接続され、制御部２３１の指示に従って、バイブレータ２２５のオンオフ制御を行い、訪問者に応じた振動パターンで、バイブレータ２２５を振動させるものである。
【００６０】
本発明の第４の実施の形態の携帯無線ドアホン端末２１０は、小型で、使用者が携帯可能な大きさであり、上記無線部２１１で、ドアホン端末装置２００と無線通信を行うことにより、ドアホン端末装置２００の設置場所から離れた場所でも、呼び出しを認識できる。また、バイブレータ２２５により、呼び出しランプ２２１を目視しなくても、振動により、呼び出しを認識できる。
【００６１】
以上のように構成された本発明に第４の実施の形態のドアホン端末装置２００および携帯無線ドアホン端末２１０の動作について、以下に図４を用いて説明する。
【００６２】
本発明の第４の実施の形態のドアホン端末装置２００の動作は、上記実施の形態のドアホン端末装置１００とは、人物認証情報受信部１０１を介して受信された人物認証情報に基づいて、訪問者を特定した結果を含む呼び出し通知信号が無線部２０１を介して送信される点が相違している。
【００６３】
ドアホン端末装置２００から送信された呼び出し通知信号は、携帯無線ドアホン端末２１０の無線部２１１を介して受信され、制御部２３１に渡される。制御部２３１では、呼び出し通知信号に含まれる呼び出しランプの複数の点灯色から特定した人物に対応する呼び出しランプの点灯色を選択した結果に基づいて、呼び出しランプ制御部２２３に呼び出しランプ２２１の点灯を制御する指示がなされ、呼び出しランプ制御部２２３によって、呼び出しランプ２２１が点灯されて、使用者に訪問者が誰であるかが通知される。これにより、使用者は、携帯無線ドアホン端末２１０を携行していれば、ドアホン端末装置２００の近傍に居なくても、呼び出し通知を認識できるとともに、呼び出しランプ２２１の点灯色あるいは、点滅方法によって、誰が訪問したのか、あるいは一般の人物の訪問であるのかを判断することができる。
【００６４】
同時に、制御部２３１からは、バイブレータ制御部２２７にバイブレータ２２５をオンオフ制御する指示がなされ、バイブレータ制御部２２７によって、バイブレータ２２５がオンオフ制御されて、特定された訪問者に対応した振動パターンで振動する。これにより、使用者は、携帯無線ドアホン端末２１０を携行していれば、ドアホン端末装置２００の近傍に居なくても、また携帯無線ドアホン端末２１０の呼び出しランプ２２１を見ていなくとも、振動により、呼び出し通知を認識できるとともに、振動パターンによって、誰が訪問したのか、あるいは一般の人物の訪問であるのかを判断することができる。
【００６５】
尚、上記実施の形態では、携帯無線ドアホン端末２１０に呼び出し報知手段として呼び出しランプ２２１とバイブレータ２２５とを用いた場合について説明したが、本発明は、呼び出しランプ２２１とバイブレータ２２５の他に、音声などによる報知手段として音声処理部とスピーカなどを用いても同様の効果が得られるものである。
【００６６】
また、上記実施の形態ではドアホン端末装置２００と携帯無線ドアホン端末２１０との間の通信手段として無線部２０１、２１１を用いた場合について説明したが、本発明は無線通信の他に、有線通信などを用いて、ドアホン端末装置２００と通信可能な小型のドアホン端末を各部屋に設置するようにしても同様の効果が得られるものである。
【００６７】
【発明の効果】
以上説明したように、本発明は、複数の点灯色を有する呼び出しランプと、訪問者の人物認証情報を受信する人物認証情報受信手段と、前記呼び出しランプの点灯色および人物を対応させて予め登録する登録手段と、前記人物認証情報受信手段によって受信した人物認証情報に基づいて、前記訪問者を特定し、前記登録手段に登録された前記複数の点灯色から前記特定された人物に対応する点灯色を選択する選択手段と、この選択手段によって選択された点灯色で、前記呼び出しランプを点灯させる呼び出しランプ制御手段とを備えることにより、訪問者によって、呼び出しランプの点灯色を変えることができ、呼び出し音の音量に関わらず、例えば、耳の不自由な人などでも訪問者が誰であるかをドアホン端末装置の近くまで移動することなく判断することができるという優れた効果を有するドアホン端末装置を提供することができるものである。
【図面の簡単な説明】
【図１】本発明の第１の実施の形態のドアホン端末装置の構成を示す概略ブロック図
【図２】図１に示された本発明の第１の実施の形態のドアホン端末装置の呼び出し通知処理手順の一例を示すフローチャート
【図３】本発明の第２の実施の形態のドアホン端末装置の呼び出し通知処理手順の一例を示すフローチャート
【図４】本発明の第４の実施の形態のドアホン端末装置の構成を示す概略ブロック図
【図５】従来のドアホンシステムの構成を示す概略ブロック図
【符号の説明】
１００　ドアホン端末装置
１０１　人物認証情報受信部（人物認証情報受信手段）
１０３　送受信部
１０５　メモリ（登録手段）
１０７　操作部
１１１　音声処理部
１１３　スピーカ
１１５　マイク
１２１　呼び出しランプ
１２３　呼び出しランプ制御部（呼び出しランプ制御手段）
１３１　表示パネル（表示手段）
１３３　画像処理部
１３５　表示制御部（表示制御手段）
１４１　制御部（登録手段、選択手段）
２００　ドアホン端末装置
２０１　無線部（送信手段）
２１０　携帯無線ドアホン端末
２１１　無線部（受信手段）
２１３　操作部
２２１　呼び出しランプ（報知手段）
２２３　呼び出しランプ制御部
２２５　バイブレータ（振動器、報知手段）
２２７　バイブレータ制御部（振動器制御手段、振動器制御部）
２３１　制御部
【図１】
2004072448.tif 000003
【図２】
2004072448.tif 000004
【図３】
2004072448.tif 000005
【図４】
2004072448.tif 000006
【図５】
2004072448.tif 000007